(57)【要約】【課題】  電装部カバーの開閉に伴って必要となる処置を人為的な操作によらず自動的に行うことができる冷凍サイクル装置の室外機を提供することである。【解決手段】  電装部カバーの開閉状態を温度センサの検知温度に基づいて検出し、この検出結果に応じた制御を実行する。【選択図】図１
2013072610.tif 000002
【特許請求の範囲】
【請求項１】
制御基板が装着された電装部を被う電装部カバーと、
前記制御基板の温度を検知する温度センサと、
前記電装部カバーの開閉状態を前記温度センサの検知温度に基づき検出する検出手段と、
前記検出手段の検出結果に応じた制御を実行する制御手段と、
を備えることを特徴とする冷凍サイクル装置の室外機。
【請求項２】
前記電装部カバーは、前記電装部を密閉状態に被う、
前記温度センサは、前記制御基板を異常温度上昇から保護するために同制御基板に取付けられている、
ことを特徴とする請求項１に記載の冷凍サイクル装置の室外機。
【請求項３】
前記制御基板に取付けられた表示器と、
前記制御基板に取付けられた操作器と、
をさらに備え、
前記制御手段は、前記電装部カバーの開状態が前記検出手段で検出された場合に前記表示器をオンし、前記電装部カバーの閉状態が前記検出手段で検出された場合に前記表示器をオフするとともに、前記操作器が操作されないまま前記表示器のオンが一定時間続いた場合に同表示器をオフする、
ことを特徴とする請求項１または請求項２に記載の冷凍サイクル装置の室外機。
【請求項４】
前記表示器は、発光ダイオードによる複数桁の７セグメント表示素子を有し、当該空気調和機に関する情報を表示する、
前記操作器は、保守点検用のコードを設定するためのロータリースイッチである、
ことを特徴とする請求項３に記載の冷凍サイクル装置の室外機。
【請求項５】
前記制御基板に取付けられた塵埃センサ、
をさらに備え、
前記制御手段は、前記電装部カバーの開状態が前記検出手段で検出され、かつ前記塵埃センサの検知濃度が設定値以上の場合に、警報を発する、
ことを特徴とする請求項１ないし請求項４のいずれかに記載の冷凍サイクル装置の室外機。
【請求項６】
前記制御手段は、前記電装部カバーの開状態が前記検出手段で検出され、かつ前記塵埃センサの検知濃度が設定値以上の場合に、警報を発するとともに当該空気調和機の運転を禁止する、
ことを特徴とする請求項５に記載の冷凍サイクル装置の室外機。
【発明の詳細な説明】
【技術分野】
【０００１】
本発明の実施形態は、空気調和機等の冷凍サイクル装置の室外機に関するもので、とくに室外機における電装部カバーの開閉検知に関する。
【背景技術】
【０００２】
空気調和機の室外機は、制御基板が収容された電装部を電装部カバーで被っている。保守点検時は、電装部カバーを開いて制御基板を露出させ、その制御基板上の表示器を見ながら作業を進めることができる。表示器は、保守点検に関わる種々の情報を表示する。
【０００３】
上記表示器は、表示素子として発光ダイオード（ＬＥＤ）を有し、常時オンされる。常時オンでも発光ダイオードの寿命が短くならないよう、発光ダイオードが低輝度で発光するよう駆動される。
【０００４】
ただし、表示器の輝度が低いと、当然ながら視認性が低下し、とくに晴天時の作業では表示が見えなくなることもある。
【０００５】
対策として、表示器の発光ダイオードを釦操作に応じた一定時間だけ高輝度で発光させるものがある（例えば特許文献１）。
【先行技術文献】
【特許文献】
【０００６】
【特許文献１】特開平７−４７９２号公報
【発明の概要】
【発明が解決しようとする課題】
【０００７】
上記のように、表示器の発光ダイオードを釦操作に応じて一定時間だけ高輝度で発光させるものでは、専用の釦を用意しなければならない。しかも、使用に不慣れな作業員にとっては、釦の位置がわからず、作業に手間取ることも考えられる。
【０００８】
本発明の実施形態の目的は、電装部カバーの開閉に伴って必要となる処置を人為的な操作によらず自動的に行うことができる冷凍サイクル装置の室外機を提供することである。
【課題を解決するための手段】
【０００９】
請求項１の冷凍サイクル装置の室外機は、制御基板が装着された電装部を被う電装部カバーと、前記制御基板の温度を検知する温度センサと、前記電装部カバーの開閉状態を前記温度センサの検知温度に基づき検出する検出手段と、前記検出手段の検出結果に応じた制御を実行する制御手段と、を備える。
【図面の簡単な説明】
【００１０】
【図１】一実施形態の外観を示すとともに前面パネルの内側を一部切欠いて示す図。
【図２】一実施形態における制御基板上の構成を概略的に示す図。
【図３】一実施形態における制御基板の温度変化を示す図。
【図４】一実施形態の制御を示すフローチャート。
【発明を実施するための形態】
【００１１】
以下、一実施形態について説明する。なお、本実施形態においては、冷凍サイクル装置として空気調和機を適用する。  
図１において、１は空気調和機の室外機で、前面を含む４側面に吸込口２、上面に吹出口３を有するとともに、前面における上記吸込口２の下方に前面パネル４を有する。この前面パネル４の内側に電装部カバー５が装着され、その電装部カバー５の内側に電装部６が配置されている。電装部カバー５は、電装部６を密閉状態に被っており、作業員による開閉が自在である。
【００１２】
電装部６には制御基板７が収容される。この制御基板７は、図２に示すように、電装部カバー５と対向する表面に制御部であるＣＰＵ１０、表示器１１、操作器であるロータリースイッチ１２，１３，１４、および塵埃センサ２２を有し、裏面に温度センサ２１を有する。この制御基板７の表面および裏面には、図示していないが、ほかにも多数の電子部品が取付けられている。
【００１３】
作業員によって前面パネル４が開かれ、かつ電装部カバー５が開かれることにより、電装部６の制御基板７が露出する。
【００１４】
上記ＣＰＵ１０は、室外機１の制御部として機能する。上記表示器１１は、発光ダイオード（ＬＥＤ）による複数桁の７セグメント表示素子を有し、当該空気調和機に関する種々の情報たとえば保守点検に関わる機種情報、冷媒圧力、冷媒温度等を数字およびアルファベット文字で表示する。上記ロータリースイッチ１２，１３，１４は、保守点検用のコードを設定するためのもので、作業員による回動操作が可能である。
【００１５】
上記温度センサ２１は、制御基板７の異常温度上昇に対する保護用として、他の部品の熱影響を受け易い制御基板７の裏面に取付けられている。
【００１６】
上記塵埃センサ２２は、制御基板７の表面側空間に存する塵埃の濃度Ｄを光学的に検知する。
【００１７】
そして、ＣＰＵ１０は、主要な機能として次の（１）〜（３）の手段を有する。  
（１）温度センサ２１の検知温度Ｔａが異常温度上昇して設定値Ｔａｘ以上になったとき、当該空気調和機の運転を停止する高温保護手段。
【００１８】
（２）電装部カバー５の開閉状態を温度センサ２１の検知温度Ｔａに基づき検出する検出手段。具体的には、図３に示すように温度センサ２１の検知温度Ｔａが低下し、そのときの単位時間ｔｘ当たりの温度変化量ΔＴ［＝（Ｔａ２−Ｔａ１）／ｔｘ］が設定値ΔＴｓ以上のとき、電装部カバー５が開状態にあると判定する。制御基板７が収容されている電装部６の温度は、電装部カバー５が閉じていれば密閉状態のため外気温度の影響を受け難く、電装部カバー５が開いて外気が浸入すると外気温度の影響を受けてすぐに変化する。この温度変化から電装部カバー５の開状態を検出することができる。そして、温度センサ２１の検知温度Ｔａが、電装部カバー５が開状態となる前の温度付近まで上昇に転じたとき、電装部カバー５が閉状態であると判定する。
【００１９】
（３）上記検出手段の検出結果に応じた制御を実行する制御手段。具体的には、電装部カバー５の開状態が上記検出手段で検出された場合に表示器１１をオンし、電装部カバー５の閉状態が上記検出手段で検出された場合に表示器１１をオフする。また、ロータリースイッチ１２，１３，１４のいずれかが操作されないまま表示器１１のオンが一定時間ｔ１続いた場合に、表示器１１をオフする。さらに、電装部カバー５の開状態が上記検出手段で検出され、かつ塵埃センサ２２の検知濃度Ｄが設定値Ｄ１以上の場合に、表示器１１の例えば点滅表示によって警報を発するとともに、当該空気調和機の運転を禁止する。
【００２０】
つぎに、図３の温度変化および図４のフローチャートを参照しながらＣＰＵ１０の制御について説明する。  
電装部カバー５の開閉状態を温度センサ２１の検知温度Ｔａに基づいて検出する（ステップ１０１）。電装部カバー５の閉状態が検出されたとき（ステップ１０２のＮＯ）、表示器１１をオフするとともに（ステップ１０３）、当該空気調和機の運転を許容する（ステップ１０４）。そして、フラグｆに“０”をセットする（ステップ１０５）。
【００２１】
電装部カバー５の開状態が検出されたとき（ステップ１０２のＹＥＳ）、フラグｆが“０”であることを条件に（ステップ１０６のＹＥＳ）、表示器１１をオンする（ステップ１０７）。このとき、表示器１１の各７セグメント表示素子を高輝度で発光動作させる。そして、表示器１１をオンしたことの指標として、フラグｆに“１”をセットする（ステップ１０８）。
【００２２】
表示器１１のオンに伴い、タイムカウントｔを開始するとともに（ステップ１０９）、塵埃センサ２２の検知濃度Ｄと設定値Ｄ１とを比較する（ステップ１１０）。
【００２３】
検知濃度Ｄが設定値Ｄ１未満であれば（ステップ１１０のＹＥＳ）、表示器１１で通常の情報を表示するとともに（ステップ１１１）、当該空気調和機の運転を許容する（ステップ１１２）。そして、ロータリースイッチ１２，１３，１４のいずれかが操作されると（ステップ１１３のＹＥＳ）、ステップ１０９に戻ってタイムカウントｔを初めから開始し、ステップ１１０〜１１３の処理を繰り返す。
【００２４】
ロータリースイッチ１２，１３，１４のいずれも操作されないまま（ステップ１１３のＮＯ）、タイムカウントｔが一定時間ｔ１に達した場合には（ステップ１１４のＹＥＳ）、作業がなされていないとの判断の下に、表示器１１をオフする（ステップ１１５）。この後、ステップ１０１に戻って電装部カバー５の開閉状態を検出する。このとき、開状態が検出されても（ステップ１０２のＹＥＳ）、フラグｆが“１”になっているので（ステップ１０６のＮＯ）、表示器１１が再びオンされることはない。
【００２５】
このように、電装部カバー５が開状態のときのみ表示器１１をオンし、電装部カバー５が閉状態のときは表示器１１をオフすることにより、表示器１１における各７セグメント表示素子の動作時間が短くなる。よって、各７セグメント表示素子の輝度を高めながら、各７セグメント表示素子の寿命を十分に延ばすことができる。
【００２６】
ロータリースイッチ１２，１３，１４のいずれかが操作されないまま表示器１１のオンが一定時間ｔ１続いた場合は表示器１１をオフするので、表示器１１の無駄な動作を防ぐことができる。この点でも動作時間の短縮、ひいては寿命向上が図れる。
【００２７】
開閉状態の検出に用いる温度センサ２１は、制御基板７の異常温度上昇に対する保護用として制御基板７にもともと設けられているので、開閉スイッチ等の新たな部品を設ける必要がない。コストの上昇を防ぐことができる。
【００２８】
しかも、電装部カバー５の開閉状態を検出し、その検出結果に応じて表示器１１のオン，オフを制御するので、従来の釦操作のような人為的な操作は不要である。保守点検の作業に不慣れな作業員であっても、その作業を容易かつ迅速に進めることができる。
【００２９】
一方、検知濃度Ｄが設定値Ｄ１以上になると（ステップ１１０のＮＯ）、表示器１１の各７セグメント表示素子を点滅して警報を発するとともに（ステップ１１６）、当該空気調和機の運転を禁止する（ステップ１１７）。警報を見た作業者は、塵埃が多いことを察知し、安全のため保守点検を中止して電装部カバー５を閉じることができる。作業者が保守点検のための試運転を行おうとしても、それは不可能である。
【００３０】
仮に、制御基板７に塵埃が付着した状態で室外機１が運転した場合、電装部６内の湿度が高いと、塵埃が水分を含んだ状態で制御基板７に付着または滴下し、制御基板７上の電子部品に短絡や故障を生じる可能性がある。しかしながら、上記のように警報を発するとともに運転を禁止するので、そのような不具合を未然に防ぐことができる。
【００３１】
なお、上記実施形態では、塵埃の濃度Ｄを光学的に検知する塵埃センサ２２を用いたが、その検知方式に限定はなく、種々の検知方式の採用が可能である。
【００３２】
その他、各実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００３３】
１…室外機、２…吸込口、３…吹出口、４…前面パネル、５…電装部カバー、６…制御基板、１０…ＣＰＵ、１１…表示器、１２，１３，１４…ロータリースイッチ、２１…温度センサ、２２…塵埃センサ
【図１】
2013072610.tif 000003
【図２】
2013072610.tif 000004
【図３】
2013072610.tif 000005
【図４】
2013072610.tif 000006